(57)【要約】      （修正有）【課題】自動車等のボディにコンパウンドなどの、半練り又は、液体の研磨剤、つや出し剤を塗布する用具として使用する表面処理具において、電動式で効率を上げながら、小型軽量化を計り、取り扱いが簡単で、疲労し難く、容易に使用出来る表面処理具を安価に提供する。【解決手段】ホルダー４に主スイッチ１を設け、内部に電源５とバイブレーター６と接触検知スイッチ１０を収納し、上記ホルダー４と担持マット取り付け部８を分離してスプリング７で繋ぎフローティング化すると共に、該担持マット取り付け部８に上記バイブレーター６を搭載して、上記接触検知スイッチ１０により自動で起動させるようにし、更に上記ホルダー４の着脱部側９ａと担持マット３の着脱部側９ｂにマジックテープを使用し、該担持マット３を取り外し可能とする。【選択図】図３
2011125664.tif 000002
【特許請求の範囲】
【請求項１】
ホルダー４の内部に電源５と小型軽量のバイブレーター６を収めた事で小型軽量化した事を特徴とする表面処理具。
【請求項２】
バイブレーター６を担持マット取り付け部８に搭載し、担持マット３に効率よく振動が伝わる様にした事を特徴とする表面処理具。
【請求項３】
ホルダー４と担持マット取り付け部８を分離し、スプリング７で繋ぎフローティング化とした事で振動が他の部分に分散する事を防いだ事を特徴とする表面処理具。
【請求項４】
ホルダー４の内部に取り付けた接触検知スイッチ１０で、担持マット３と処理面１２が接触し、担持マット取り付け部８が押し上げられた事を検知し、バイブレーター６を起動出来る様にした事を特徴とする表面処理具。
【請求項５】
ホルダー４の着脱部Ａ側９ａと担持マット３の着脱部Ｂ側９ｂにマジックテープを用い、取り外し可能とした事で、担持マット３が交換出来る事を特徴とする表面処理具。
【発明の詳細な説明】
【技術分野】
【０００１】  本発明は自動車等のボディにコンパウンド、ワックスなどの、半練り又は、液体の研磨剤、つや出し剤を塗布する用具として使用する表面処理具に関するものである。
【背景技術】
【０００２】  従来の表面処理具においては、表面処理を容易にする為、電動による回転動作や往復動作で、表面処理の効率を上げている。【０００３】  しかし、回転式の場合は摩擦抵抗が大きくなる事から、高出力のモーターを必要とし、必然的に重量が重く、大型化している。往復動作式の場合はカム等の動作機構を取り付けた事により、構造が複雑となり、更に重量が重く、大型化している。その為に、どちらも取扱が難しい、疲労し易い、容易に使用出来ない、家庭用に安価に提供出来無い等の欠点があった。【０００４】  従来の表面処理具においては、異なる粒度の研磨剤を使用する際は、手動式表面処理具の場合は、それぞれ表面処理具を用意し、使い分ける必要あり、電動式表面処理具の場合は担持マットを交換は出来るものの、高出力に対応し、交換部が丈夫な構造の為、高価なものであった。
【先行技術文献】
【特許文献】
【０００５】  特開２００８−２８４６５７
【非特許文献】
【０００６】  「マキタ総合カタログ２００９−１０」，株式会社マキタ，２００９−１０，Ｐ６１Ｐ６２
【発明の概要】
【発明が解決しようとする課題】
【０００７】  本発明は、前述の点に鑑み、電動式で効率を上げながら、取り扱いが簡単で、疲労し難く、容易に使用出来る表面処理具を安価に提供する事を目的とする。
【課題を解決するための手段】
【０００８】  上記課題を達成するため、重量と大型化に影響を及ぼす動力と動作機構を小型軽量化する為に、最近は小型、高性能化が著しく、多産化されるようになった、小型バイブレーターと電源をホルダー内に内蔵する事で、振動により表面処理の効率を上げた事を特徴とし、小型バイブレーターの振動を効率よく伝える為に、バイブレーターを担持マットに隣接する担持マット取り付け部に搭載した事を特徴とする。【０００９】  更にホルダーと担持マット取り付け部を分離し、スプリングで繋ぎフローティング化した事で振動が他の部分に分散する事を防いだ事を特徴とする。尚、これらの特徴を維持する限り、ホルダーと担持マット部の外観については、目的や意匠による形状変更は特にこだわらない。又、スプリングについてはフローティング化が可能であれば例えばゴム、ウレタン等の素材でも特にこだわらない。更に電源については小型で内臓可能であれば、一次電池、二次電池を問わない。【００１０】  加えて、ホルダー内に接触検知スイッチを取り付けた事で、担持マットが処理面に接触し、フローティングしている担持マット取り付け部が押し上げられ接触検知スイッチがＯＮする事で、自動でバイブレーターが起動する事を特徴とする。これによりバイブレーターのＯＮ、ＯＦＦを気にせず簡単に取り扱う事が出来る。【００１１】  表面処理具の担持マットを脱着可能なマジックテープで固定し、簡素な方法で交換出来る様にした事を特徴とする。尚、マジックテープについては同様に簡単に着脱可能なものであれば特にこだわらない。
【発明の効果】
【００１２】  本発明の表面処理具は、ホルダー内に電源と小型軽量のバイブレーターを収めた事で、手作業のみで行う表面処理具と同等のサイズに収まっている事から疲労し難く、容易に使用出来る。バイブレーターを担持マット取り付け部に搭載した事と、担持マット取り付け部をホルダーと分離し、スプリングで繋ぎフローティング化と共に接触検知スイッチを取り付けた事で、小型でも効率よく表面処理が出来る上、自動で起動する事で取り扱いが簡単である。【００１３】  更に簡単に担持マットを交換出来る様にした事から、安価に提供出来るという利点がある。
【図面の簡単な説明】
【００１４】
【図１】表面処理具の外観側面図（実施例１）
【図２】表面処理具の外観正面図（実施例１）
【図３】表面処理具の側面断面図（実施例１）
【図４】表面処理具の使用図（実施例１）
【図５】小型表面処理具の外観側面図（実施例２）
【図６】小型表面処理具の側面断面図（実施例２）
【図７】小型表面処理具の使用図（実施例２）
【図８】表面処理具のバイブレーター縦向き搭載、側面断面図（実施例３）
【発明を実施するための形態】
【００１５】  小型軽量化という目的を、ホルダー４に主スイッチ１と内部に電源５と小型軽量のバイブレーター６を収め、バイブレーター６を担持マット取り付け部８に搭載した事と、ホルダー４と担持マット取り付け部８を分離し、スプリング７で繋ぎフローティング化と共に接触検知スイッチ１０を取り付けた事で、効率よく表面処理が出来る上、通常の手作業のみで行う表面処理具と同等のサイズに収まっている事と自動で起動する事から、疲労し難く、容易に使用出来、取り扱いが簡単である。
【００１６】  着脱部Ａ側９ａと着脱部Ｂ９ｂに脱着可能なマジックテープを用いて、担持マット３と担持マット取り付け部８を固定し、簡素な方法で安価に交換出来る。
【実施例】
【００１７】  本発明の一例である実施例１について、図１〜図４にて説明しており、図１は外観全体を示す側面である。図２は外観全体を示す正面図である。図３は図２の破断線ａａを側面から見た断面図である。図４は手で把持した状態を示す使用図である。
又、もう一例として実施例２について、図５〜図７にて説明しており、図５は外観全体を示す側面である。図６は図３と同様に側面から見た断面図である。図７は手で把持した状態を示す使用図である。
更に、実施例１と同形態でバイブレーターを縦向きに搭載した実施例３について、図８はこれも図３と同様に側面から見た断面図である。【００１８】    実施例１は持ち易く扱い易さを重視たタイプで、図１と図２の様にホルダー４にグリップ部２を設けたもので、ホルダー４に図３の様に主スイッチ１を設け、内部に電源５とバイブレーター６と接触検知スイッチ１０を内蔵する。この際、ホルダー４と担持マット取り付け部８を分離し、スプリング７で繋ぎフローティング化し、この担持マット取り付け部８にバイブレーター６を搭載する。更にホルダー４の着脱部Ａ側９ａと担持マット３の着脱部Ｂ側９ｂにマジックテープを使用し、担持マットを取り外し可能とする。【００１９】  使用開始時に主スイッチ１をＯＮにし、図４の様にグリップ部２を手１１で把持し、担持マット３を処理面１２に押し当てる。これにより、フローティングしている担持マット取り付け部８が押し上げられ接触検知スイッチ１０がＯＮする事で、自動でバイブレーター６が起動し、発生した振動が担持マット３に伝わり、処理面１２との間で擦れる事で表面処理を効率よく行う事が出来る。これによりバイブレーターのＯＮ、ＯＦＦを気にせず簡単に取り扱う事が出来る。【００２０】  ホルダー４の着脱部Ａ側９ａと担持マット３の着脱部Ｂ側９ｂにマジックテープを用い、取り外しを可能としている事で、異なる粒度の研磨剤を使用する際は担持マット３を交換する事が出来る。【００２１】  実施例２は部分的に狭範囲を処理する小型のタイプで、処理面積が小さい事で低出力でも可能な事から、図６の様に、更に小さい小型バイブレーター１３を使用し、グリップ部を設けずにグリップ兼用ホルダー１４にした事で、より小型軽量化したものである。【００２２】  実施例３は実施例１と外観は同形状だが、バイブレーターの向きを変更し、ホルダー内に縦向きバイブレーター１５を内蔵した例である。
【産業上の利用可能性】
【００２３】  本発明は塗布用具として使用出来る事から、家具、住宅などの艶出し剤の塗布にも適用する事が出来る。
【符号の説明】
【００２４】  １    主スイッチ
２    グリップ部
３    担持マット
４    ホルダー
５    電源
６    バイブレーター
７    スプリング
８    担持マット取り付け部
９ａ  着脱部Ａ側９ａ
９ｂ  着脱部Ｂ側９ｂ
１０  接触検知スイッチ
１１  手
１２  処理面
１３  小型バイブレーター
１４  グリップ兼用ホルダー
１５  縦向き搭載バイブレーター
ａａ  破断線
【図１】
2011125664.tif 000003
【図２】
2011125664.tif 000004
【図３】
2011125664.tif 000005
【図４】
2011125664.tif 000006
【図５】
2011125664.tif 000007
【図６】
2011125664.tif 000008
【図７】
2011125664.tif 000009
【図８】
2011125664.tif 000010